(57)【要約】【課題】  自動両面印刷が不可のページを含む両面印刷を、ユーザの介入を可及的に少なくして実行できるようにした印刷装置および印刷制御プログラムを提供する。【解決手段】  印刷装置２０では、印刷ジョブの各ページに対して自動両面印刷が不可の用紙の指定があるか否かを判定し、自動両面印刷が不可な用紙指定があるページに対しては、１回目の印刷で手差トレイからの給紙により手動片面（裏面）のみの印刷を実行して、自動両面印刷が可能な用紙指定があるページのページ情報および手動両面印刷で未印刷の他の面（表面）に対する印刷に必要なページ情報を一時保存し、その後の２回目の印刷では、上記保存したページ情報に基づき上記自動両面印刷機能を用いて通常の用紙トレイからの給紙により自動両面印刷を実行するとともに、他の面（表面）に対する手差トレイからの給紙による片面印刷（手動両面印刷）を実行する。【選択図】  図１
2010167707.tif 000002
【特許請求の範囲】
【請求項１】
印刷指示情報に基づき各ページが自動両面印刷が可能かを各ページ毎に判断する判断手段と、
前記判断手段により前記自動両面印刷が不可と判断されたページに対して手動両面印刷により第１面に対する片面印刷を行うように制御する第１の印刷制御手段と、
前記第１の印刷制御手段で印刷されなかった前記自動両面印刷が可能なページ情報および前記手動両面印刷で印刷されなかった第２面のページ情報を保存する保存手段と、
前記保存手段に保存された前記自動両面印刷が可能なページ情報に基づき自動両面印刷を行うとともに、前記保存手段に保存された前記手動両面印刷で印刷されなかった第２面のページ情報に基づき前記第２面に対して片面印刷を行うように制御する第２の印刷制御手段と
を具備する印刷装置。
【請求項２】
前記判断手段は、
前記印刷指示情報の各ページに付与された用紙情報に基づき前記自動両面印刷が可能かを判断する請求項１記載の印刷装置。
【請求項３】
前記第１の印刷制御手段は、
前記判断手段により前記自動両面印刷が不可と判断されたページで、次ページがあり、かつ該次ページの用紙情報が前ページの用紙情報と同一でない場合は、前記第１面に対して片面印刷するように制御し、次ページがあり、かつ該次ページの用紙情報が前ページの用紙情報と同一の場合は、該次ページをページ面を１８０度回転して前記第１面に対して片面印刷するように制御する請求項２記載の印刷装置。
【請求項４】
前記第２の印刷制御手段は、
前記保存手段に保存したページ情報と現在のページ情報との比較に基づき前記第２面に対して印刷が必要かを用紙毎に判断する第２の判断手段と、
前記第２の判断手段により前記第２面に対して印刷が必要と判断された用紙は、前記保存手段に保存された前記第２面のページ情報に基づき該用紙の第２面の印刷を行い、前記第２面に対して印刷が不要と判断された用紙は、反転してそのまま排出するように制御する請求項２記載の印刷装置。
【請求項５】
印刷指示装置と、
前記印刷指示装置からの印刷指示に基づき印刷を行う印刷装置と
を具備し、
前記印刷装置は、
前記印刷指示装置からの前記印刷指示情報に基づき各ページが自動両面印刷が可能かを各ページ毎に判断する判断手段と、
前記判断手段により前記自動両面印刷が不可と判断されたページに対して手動両面印刷により第１面に対する片面印刷を行うように制御する第１の印刷制御手段と、
前記第１の印刷制御手段で印刷されなかった前記自動両面印刷が可能なページ情報および前記手動両面印刷で印刷されなかった第２面のページ情報を保存する保存手段と、
前記保存手段に保存された前記自動両面印刷が可能なページ情報に基づき自動両面印刷を行うとともに、前記保存手段に保存された前記手動両面印刷で印刷されなかった第２面のページ情報に基づき前記第２面に対して片面印刷を行うように制御する第２の印刷制御手段と
を具備する印刷システム。
【請求項６】
コンピュータを、
印刷指示装置からの印刷指示情報に基づき各ページが自動両面印刷が可能かを各ページ毎に判断する判断手段、
前記判断手段により前記自動両面印刷が不可と判断されたページに対して手動両面印刷により第１面に対する片面印刷を行うように制御する第１の印刷制御手段、
前記第１の印刷制御手段で印刷されなかった前記自動両面印刷が可能なページ情報および前記手動両面印刷で印刷されなかった第２面のページ情報を保存する保存手段、
前記保存手段に保存された前記自動両面印刷が可能なページ情報に基づき自動両面印刷を行うとともに、前記保存手段に保存された前記手動両面印刷で印刷されなかった第２面のページ情報に基づき前記第２面に対して片面印刷を行うように制御する第２の印刷制御手段
として機能させる印刷制御プログラム。
【発明の詳細な説明】
【技術分野】
【０００１】
本発明は、印刷装置および印刷システムおよび印刷制御プログラムに関する。
【背景技術】
【０００２】
従来、印刷装置には、用紙の第１面に印刷した後、この用紙を自動的に裏返してこの用紙の第２面に印刷を行うようにした自動両面印刷機能を有するものが知られている。
【０００３】
この自動両面印刷機能を有する印刷装置においては、第１面に印刷した用紙を裏返すための複雑な用紙経路を備えており、このために、厚紙、不定形の用紙等が指定された場合は、この自動両面印刷機能を用いて印刷することができない。
【０００４】
そこで、自動両面印刷機能を用いて印刷することができない用紙指定がある場合に対応する従来技術としては、特許文献１や特許文献２に記載されたものが知られている。
【０００５】
すなわち、特許文献１には、自動両面印刷が不可なサイズの用紙がセットされていても、手動によって印刷可能なサイズであれば、手動による両面印刷が行えるようし、操作のバリエーションを増やす構成が記載されている。
【０００６】
具体的には、両面モードにおける片面印刷であれば、設定給紙口にセットされた用紙の紙サイズが両面自動印刷可能サイズかどうかを確認し、両面自動印刷不可のサイズであればディップスイッチＳＷ１の状態をチェックし、ディップスイッチＳＷ１がオフの場合、紙サイズが自動両面可能なサイズがセットされるまで待ち状態になり、ディップスイッチＳＷ１がオンの場合は、印刷モードを両面印刷モードから片面表面印刷モードに変更し、「手動での両面印刷の表面印刷実行待ち」を表示し、ユーザの手動印刷許可通知を待ち、ユーザからの手動印刷許可通知、例えば、許可の場合コピーボタンを押すような操作を受信したか否かをチェックし、受信した場合は片面モードにて表面印刷を実行し、表面の印刷完了を待つ構成が記載されている。
【０００７】
また、特許文献２には、１つのジョブの両面印刷中、反転排出で両面印刷された記録紙と反転せずに片面印刷のみで排出された記録紙とが混在してしまうことを防止できる印刷装置が記載されており、具体的には、両面搬送機構を有する複合機で、両面印刷の指示があった場合、全ての印刷すべき記録紙に対し、両面搬送機構により表裏を反転可能であるか否かを調べ、反転不可能な記録紙が１枚でも存在する場合、全ての記録紙を反転させずに、片面ずつ印刷して排出する手動両面印刷を行う構成が記載されている。
【特許文献１】特開２００６−１２０７号公報
【特許文献２】特開２００６−１９９０２２号公報
【発明の開示】
【発明が解決しようとする課題】
【０００８】
本発明は、自動両面印刷が不可のページを含む両面印刷を、ユーザの介入を可及的に少なくして実行できるようにした印刷装置および印刷制御プログラムを提供することを目的とする。
【課題を解決するための手段】
【０００９】
上記目的を達成するため、請求項１の発明の印刷装置は、印刷指示情報に基づき各ページが自動両面印刷が可能かを各ページ毎に判断する判断手段と、前記判断手段により前記自動両面印刷が不可と判断されたページに対して手動両面印刷により第１面に対する片面印刷を行うように制御する第１の印刷制御手段と、前記第１の印刷制御手段で印刷されなかった前記自動両面印刷が可能なページ情報および前記手動両面印刷で印刷されなかった第２面のページ情報を保存する保存手段と、前記保存手段に保存された前記自動両面印刷が可能なページ情報に基づき自動両面印刷を行うとともに、前記保存手段に保存された前記手動両面印刷で印刷されなかった第２面のページ情報に基づき前記第２面に対して片面印刷を行うように制御する第２の印刷制御手段とを具備する。
【００１０】
請求項２の発明は、請求項１の発明において、前記判断手段は、前記印刷指示情報の各ページに付与された用紙情報に基づき前記自動両面印刷が可能かを判断する。
【００１１】
請求項３の発明は、請求項２の発明において、前記第１の印刷制御手段は、前記判断手段により前記自動両面印刷が不可と判断されたページで、次ページがあり、かつ該次ページの用紙情報が前ページの用紙情報と同一でない場合は、前記第１面に対して片面印刷するように制御し、次ページがあり、かつ該次ページの用紙情報が前ページの用紙情報と同一の場合は、該次ページをページ面を１８０度回転して前記第１面に対して片面印刷するように制御する。
【００１２】
請求項４の発明は、請求項２の発明において、前記第２の印刷制御手段は、前記保存手段に保存したページ情報と現在のページ情報との比較に基づき前記第２面に対して印刷が必要かを用紙毎に判断する第２の判断手段と、前記第２の判断手段により前記第２面に対して印刷が必要と判断された用紙は、前記保存手段に保存された前記第２面のページ情報に基づき該用紙の第２面の印刷を行い、前記第２面に対して印刷が不要と判断された用紙は、反転してそのまま排出するように制御する。
【００１３】
請求項５の発明の印刷システムは、印刷指示装置と、前記印刷指示装置からの印刷指示に基づき印刷を行う印刷装置とを具備し、前記印刷装置は、前記印刷指示装置からの前記印刷指示情報に基づき各ページが自動両面印刷が可能かを各ページ毎に判断する判断手段と、前記判断手段により前記自動両面印刷が不可と判断されたページに対して手動両面印刷により第１面に対する片面印刷を行うように制御する第１の印刷制御手段と、前記第１の印刷制御手段で印刷されなかった前記自動両面印刷が可能なページ情報および前記手動両面印刷で印刷されなかった第２面のページ情報を保存する保存手段と、前記保存手段に保存された前記自動両面印刷が可能なページ情報に基づき自動両面印刷を行うとともに、前記保存手段に保存された前記手動両面印刷で印刷されなかった第２面のページ情報に基づき前記第２面に対して片面印刷を行うように制御する第２の印刷制御手段とを具備する。
【００１４】
請求項６の発明の印刷制御プログラムは、コンピュータを、印刷指示装置からの印刷指示情報に基づき各ページが自動両面印刷が可能かを各ページ毎に判断する判断手段、前記判断手段により前記自動両面印刷が不可と判断されたページに対して手動両面印刷により第１面に対する片面印刷を行うように制御する第１の印刷制御手段、前記第１の印刷制御手段で印刷されなかった前記自動両面印刷が可能なページ情報および前記手動両面印刷で印刷されなかった第２面のページ情報を保存する保存手段、前記保存手段に保存された前記自動両面印刷が可能なページ情報に基づき自動両面印刷を行うとともに、前記保存手段に保存された前記手動両面印刷で印刷されなかった第２面のページ情報に基づき前記第２面に対して片面印刷を行うように制御する第２の印刷制御手段として機能させる。
【発明の効果】
【００１５】
請求項１の発明によれば、自動両面印刷が不可のページを含む両面印刷を、ユーザの介入を可及的に少なくして実行でき、かつ、自動両面印刷を後から行うことにより用紙ジャムが発生した場合のリカバリを容易に行うことができる。
【００１６】
請求項２の発明によれば、請求項１の発明の効果に加えて、自動両面印刷が不可のページを容易に判断することができる。
【００１７】
請求３の発明によれば、請求項１の発明の効果に加えて、自動両面印刷が不可と判断されたページに対して両面印刷を適切に行うことができる。
【００１８】
請求４の発明によれば、請求項１の発明の効果に加えて、自動両面印刷が不可と判断されたページに対して両面印刷を適切に行うことができる。
【００１９】
請求項５の発明によれば、自動両面印刷が不可のページを含む両面印刷を、ユーザの介入を可及的に少なくして実行でき、かつ、自動両面印刷を後から行うことにより用紙ジャムが発生した場合のリカバリを容易に行うことができる印刷システムを提供することができる。
【００２０】
請求項６の発明によれば、自動両面印刷が不可のページを含む両面印刷を、ユーザの介入を可及的に少なくして実行でき、かつ、自動両面印刷を後から行うことにより用紙ジャムが発生した場合のリカバリを容易に行うことができる印刷制御プログラムを提供することができる。
【発明を実施するための最良の形態】
【００２１】
以下、本発明に係わる印刷装置および印刷システムおよび印刷制御プログラムの実施例について添付図面を参照して詳細に説明する。
【実施例１】
【００２２】
図１は、本発明が適用される印刷システムの一実施例を示すブロック図である。
【００２３】
図１に示す印刷システム１００は、印刷装置２０に対して印刷ジョブを送信する印刷指示装置１０および印刷指示装置１０からの両面印刷指示を含む印刷ジョブ（印刷指示情報）をローカル接続若しくはネットワークを介して受信して、この印刷ジョブに基づき両面印刷を実行する印刷装置２０から構成される。
【００２４】
印刷装置２０は、図示しない印刷用紙を収納する１または複数の用紙トレイと手差印刷のための手差トレイを有しており、用紙トレイからの給紙により用紙の両面に自動印刷する自動両面印刷機能および手差トレイからの給紙により両面印刷を行う手動両面印刷機能を有している。ここで、自動両面印刷機能については周知であるので、その詳細説明は省略する。
【００２５】
さて、印刷指示装置１０からの両面印刷指示を含む印刷ジョブには、印刷装置２０における自動両面印刷が不可の用紙（サイズ、紙質など）の指定があるページが含まれる場合があり、この場合、印刷装置２０では、印刷ジョブの各ページに対して自動両面印刷が不可の用紙の指定があるか否かを判定し、自動両面印刷が不可な用紙指定があるページに対しては、１回目の印刷で手差トレイからの給紙により手動片面（裏面）のみの印刷を実行して、自動両面印刷が可能な用紙指定があるページのページ情報および手動両面印刷で未印刷の他の面（表面）に対する印刷に必要なページ情報を一時保存する。
【００２６】
その後の２回目の印刷では、上記保存した自動両面印刷が可能な用紙指定があるページのページ情報に基づき上記自動両面印刷機能を用いて通常の用紙トレイからの給紙により自動両面印刷を実行するとともに、上記保存した手動両面印刷で未印刷の他の面（表面）に対する印刷に必要なページ情報に基づき他の面（表面）に対する手差トレイからの給紙による片面印刷（手動両面印刷）を実行する。
【００２７】
上記機能を実現するために、印刷装置２０は、自動両面印刷可否判定部２１、ページ情報保存部２２、ページ情報読み出し部２３、ページ情報削除部２４を具備して構成される。
【００２８】
自動両面印刷可否判定部２１は、印刷指示装置１０から受信した印刷ジョブを解析して、各ページ毎に自動両面印刷が不可の用紙の指定があるか否かを判定する。
【００２９】
ページ情報保存部２２は、自動両面印刷可否判定部２１で判定した自動両面印刷が可能な用紙指定があるページのページ情報および手動両面印刷で未印刷の他の面（表面）に対する印刷に必要なページ情報を一時保存する。
【００３０】
ページ情報読み出し部２３は、２回目の印刷に際してページ情報保存部２２に保存したページ情報を読み出す。
【００３１】
ページ情報削除部２４は、２回目の印刷終了後にページ情報保存部２２に保存したページ情報を削除する。
【００３２】
図２は、印刷指示装置１０からの印刷指示情報により指示される印刷ジョブの一例を示す図である。
【００３３】
この印刷ジョブは、図２に示すように、用面印刷が指示された全ページ１２ページの印刷ジョブからなり、１ページから４ページまでおよび７ページ、８ページおよび１１ページ、１２ページの用紙指定が普通紙で用紙サイズが例えばＡ４、第５ページ、６ページおよび９ページ、１０ページの用紙指定が厚紙で用紙サイズが例えばＡ４になっている。
【００３４】
この場合、１ページから４ページまでおよび７ページ、８ページおよび１１ページ、１２ページは、自動両面印刷が可能であるが、５ページ、６ページおよび９ページ、１０ページは、自動両面印刷は不可である。
【００３５】
図３は、図２に示した印刷ジョブに基づき印刷装置２０での印刷されるページデータおよびその印刷結果を示す図であり、図３（ａ）は、１回目の印刷で印刷されるページデータ、図３（ｂ）は、２回目の印刷で印刷されるページデータ、図３（ｃ）は最終的な印刷結果を示す。
【００３６】
すなわち、１回目の印刷においては、図３（ａ）に示す自動両面印刷は不可である６ページおよび１０ページのページ情報に基づき、６ページおよび１０ページが手差トレイから給紙されたＡ４の厚紙に印刷される。そして、このとき、１回目の印刷で未印刷の自動両面印刷が可能な１ページから４ページまでおよび７ページ、８ページおよび１１ページ、１２ページのページデータおよび１回目の印刷で未印刷の自動両面印刷が不可な５ページおよび９ページのページデータをページ情報保存部２２に保存される。
【００３７】
２回目の印刷においては、図３（ｂ）に示す、ページ情報保存部２２に保存された１回目の印刷で未印刷の自動両面印刷が可能な１ページから４ページまでおよび７ページ、８ページおよび１１ページ、１２ページのページデータおよび１回目の印刷で未印刷の自動両面印刷が不可な５ページおよび９ページのページデータに基づき、通常の用紙トレイから給紙されたＡ４の普通紙による自動両面印刷および手差トレイからの給紙による手動両面印刷による片面印刷（手動両面印刷）が選択的に実行される。
【００３８】
そして、図３（ｃ）に示すように、１ページから４ページまでが２回目の印刷で自動両面印刷されて出力され、５ページ、６ページが１回目の印刷と２回目の印刷で手動両面印刷されて出力され、７ページ、８ページが２回目の印刷で自動両面印刷されて出力され、９ページ、１０ページが１回目の印刷と２回目の印刷で手動両面印刷されて出力され、１１ページ、１２ページが２回目の印刷で自動両面印刷されて出力される。
【００３９】
ところで、上記構成において、例えば、２回目の印刷において、１ページおよび２ページの自動両面印刷済みの用紙にジャムが発生し、これをリカバリする場合は、通常の用紙トレイに収容された用紙を用いて再度印刷されるので、期待通りのリカバリが可能になる。
【００４０】
図４は、この実施例におけるユーザ操作の一例を示すフローチャートである。
【００４１】
ユーザが、図２に示した印刷ジョブの実行を指示する場合、図示しないユーザインターフェースを介してこの印刷ジョブを指定して（ステップ４０１）、まず、Ａ４の厚紙をまとめて手差トレイにセットし（ステップ４０２）、印刷開始を指示する（ステップ４０３）。
【００４２】
この場合、印刷装置２０は、まず、自動両面印刷は不可である６ページおよび１０ページを手差トレイからの給紙により印刷する。
【００４３】
図５は、１回目の印刷における印刷制御（第１の印刷制御手段）の一例を示すフローチャートである。
【００４４】
１回目の印刷においては、印刷指示があると（ステップ５０１）、まず、印刷指示に係わるページ情報に基づき各ページ毎に自動両面印刷可能かを調べる（ステップ５０２）。
【００４５】
ここで、図２に示した印刷ジョブの場合、１ページから４ページまでは用紙指定がＡ４、普通紙であるので、自動両面印刷が可能であり（ステップ５０２でＹＥＳ）、まず、１ページから４ページまでのページ情報（ページデータ）がページ情報保存部２２に保存される（ステップ５０３）。
【００４６】
次のページの５ページは用紙指定が厚紙であるので、ステップ５０２で自動両面印刷不可と判断される（ステップ５０２でＮＯ）。この場合、５ページのページ情報がページ情報保存部２２に保存される（ステップ５０４）。
【００４７】
次に、裏面（６ページ）は前ページ（５ページ）と同じ用紙サイズでかつ同じ紙質かが調べられる（ステップ５０５）。ここでは、６ページおよび５ページとも用紙サイズがＡ４で、紙質が厚紙であるので（ステップ５０５でＹＥＳ）、裏面（６ページ）を１８０度回転して、手差トレイにセットされたＡ４の厚紙を用いた裏面（６ページ）の片面印刷が実行される（ステップ５０６）。
【００４８】
次のページの７ページ、８ページは、用紙指定がＡ４、普通紙であるので、自動両面印刷が可能であり（ステップ５０２でＹＥＳ）、この７ページ、８ページのページ情報がページ情報保存部２２に保存される（ステップ５０３）。
【００４９】
次のページの９ページは用紙指定が厚紙であるので、ステップ５０２で自動両面印刷不可と判断される（ステップ５０２でＮＯ）。９ページのページ情報がページ情報保存部２２に保存され（ステップ５０４）、この９ページの裏面（１０ページ）は前ページ（９ページ）と同じ用紙サイズでかつ同じ紙質であるので（ステップ５０５でＹＥＳ）、裏面（１０ページ）を１８０度回転して、手差トレイにセットされたＡ４の厚紙を用いた裏面（１０ページ）の片面印刷が実行される（ステップ５０６）。
【００５０】
次のページの１１ページ、１２ページは、用紙指定がＡ４、普通紙であるので、自動両面印刷が可能であり（ステップ５０２でＹＥＳ）、この１１ページ、１２ページのページ情報がページ情報保存部２２に保存される（ステップ５０３）。
【００５１】
そして、ステップ５０８で、全ページ完了と判断されると（ステップ５０８でＹＥＳ）、この１回目の印刷の処理を終了する。
【００５２】
なお、ステップ５０８で、全ページ完了でないと判断された場合は（ステップ５０８でＮＯ）、ステップ５０２に戻り、上記と同様の処理を繰り返す。
【００５３】
また、ステップ５０５で裏面は前ページと同じ用紙サイズでかつ同じ紙質でないと判断された場合は（ステップ５０２でＮＯ）、両面印刷はできないので、ページ情報保存部２２に保存に保存した該当ページ情報をページ情報読み出し部２３で読み出して、この読み出したページ情報に基づき片面印刷を実行して（ステップ５０７）、ステップ５０８に進む。
【００５４】
図６は、２回目の印刷における印刷制御（第２の印刷制御手段）の一例を示すフローチャートである。
【００５５】
２回目の印刷は、ページ情報保存部２２に保存したページ情報に係わる印刷ジョブを図示しないユーザインターフェースを介して指定し、１回目の印刷済みの用紙をまとめて手差トレイにセットして、印刷開始を指示することにより開始される。
【００５６】
まず、指定された印刷ジョブのページ情報をページ情報読み出し部２３によりページ情報保存部２２から読み出し（ステップ６０１）、各ページ毎に、自動両面印刷のページかを調べる（ステップ６０２）。ここで、自動両面印刷のページ、図２に示した印刷ジョブの場合は、１ページから４ページまでのページ情報若しくは７ページ、８ページ若しくは１１ページ、１２ページのページ情報であると判断されると（ステップ６０２でＹＥＳ）、自動両面印刷を実行して（ステップ６０３）、ステップ６０８に進む。
【００５７】
また、図２に示した印刷ジョブの場合、５ページ若しくは９ページの場合、ステップ６０２で自動両面印刷のページでないと判断され（ステップ６０２でＮＯ）、次に、ページ情報保存部２２に保存した該当ページ情報と現在のページ情報とを比較し（ステップ６０４）、表面の印刷は必要かを判断する（ステップ６０５）。ここで、図２に示した印刷ジョブの場合、５ページ若しくは９ページの場合、表面の印刷は必要と判断され（ステップ６０５でＹＥＳ）、ページ情報保存部２２に保存した該当ページ情報の用紙情報に応じて用紙の表面に５ページ若しくは９ページの印刷が実行され（ステップ６０６）、ステップ６０８に進む。
【００５８】
ステップ６０８では、ジョブ終了かが判断され、ジョブ終了でないと判断されると（ステップ６０８でＮＯ）、ステップ６０２に戻り、上記処理が繰り返されるが、ジョブ終了と判断されると（ステップ６０８でＹＥＳ）、次に、ページ情報保存部２２に保存した該当ページ情報（ジョブ情報）を削除する設定があるかが調べられる（ステップ６０９）。
【００５９】
ここで、ジョブ情報を削除しないと判断された場合は（ステップ６０９でＮＯ）、このままこの２回目の印刷処理を終了し、削除すると判断された場合は（ステップ６０９でＹＥＳ）、ページ情報保存部２２に保存した該当ジョブ情報をページ情報削除部２４で削除し（ステップ６１０）、この２回目の印刷処理を終了する。
【００６０】
なお、ステップ６０５で表面の印刷は不要と判断された場合は（ステップ６０５でＮＯ）、現在のページ情報をインクリメントし、この用紙を排出し（ステップ６０７）、ステップ６０８に進む。ここでの用紙の排出は両面印刷のパスによりこの用紙は反転して排出されるので、表面に印刷がされなかった用紙も方向が揃った状態で排出される。
【００６１】
本実施例では、手差トレイから手動両面としているが、用紙が給紙可能であれば用紙トレイと手差トレイの区別をする必要は無く、自動両面印刷を行う用紙トレイとは別の用紙トレイから手動両面を行っても良い。
【００６２】
以上が本発明の代表的な実施形態の一例であるが、本発明は、上記実施例及び図面に示す実施例に限定することなく、その要旨を変更しない範囲内で適宜変形して実施できるものである。
【００６３】
なお、上記印刷制御は、記憶装置に記憶された印刷制御プログラムに基づき中央演算処理装置で処理することにより行うことができる。
【００６４】
なお、上記印刷制御プログラムは、ネットワーク等の通信手段により提供することは勿論、ＣＤ−ＲＯＭ、ＤＶＤ等の外部記録媒体に記録して提供することも可能である。
【図面の簡単な説明】
【００６５】
【図１】本発明が適用される印刷システムの一実施例を示すブロック図である。
【図２】図１に示した印刷指示装置からの印刷指示情報により指示される印刷ジョブの一例を示す図である。
【図３】図２に示した印刷ジョブに基づき印刷装置での印刷されるページデータおよびその印刷結果を示す図である。
【図４】図１に示した印刷装置におけるユーザ操作の一例を示すフローチャートである。
【図５】図１に示した印刷装置における１回目の印刷における印刷制御（第１の印刷制御手段）の一例を示すフローチャートである。
【図６】図１に示した印刷装置における２回目の印刷における印刷制御（第２の印刷制御手段）の一例を示すフローチャートである。
【符号の説明】
【００６６】
１０    印刷指示装置
２０    印刷装置
２１    自動両面印刷可否判定部
２２    ページ情報保存部
２３    ページ情報読み出し部
２４    ページ情報削除部
１００    印刷システム
【図１】
2010167707.tif 000003
【図２】
2010167707.tif 000004
【図３】
2010167707.tif 000005
【図４】
2010167707.tif 000006
【図５】
2010167707.tif 000007
【図６】
2010167707.tif 000008